Podtech/llm-jp-corpus-v4-ja_patent huggingface dataset:
(57)【要約】【課題】従来、複数薬液を分注する分注装置は直交直線案内に依るの複雑で大型な構造持ち、操作勝手も悪いものであったが、これを小型で簡潔な構造を持ち操作勝手の良い薬液分注装置とする。【解決手段】従来の２制御軸直交直線案内を１制御軸回転案内に置き換えるとともに、従来一塊りとなって直交座標中を移動する様に構成されていた吐出口群を旋回する運動体の外側に円周状に拡げて配置する事で小型で簡潔な構造で且つ操作勝手の良い複数薬液分注装置とする。さらに第３の制御軸をも直線案内から旋回又はリンク機構とする事でより小型で簡易な構造とすると共に、従来吐出口の数だけ必要であった第３制御軸のアクチュエーターを、中空の回転制御軸アクチュエーターの中空部を通して外部に固定することで、１つにする事を可能とする。【特許請求の範囲】
【請求項１】
複数の薬液吐出口を円周上に配置し、該円周の中心を回転中心とする旋回動作により、所期の吐出口を円周上の所期の位置に移動する事を特徴とする薬液分注装置
【請求項２】
薬液吐出口を、前記円周の中心付近より放射状に配置し、且つ前記円周に垂直な平面上に於いて前記円周の中心付近を支点とした旋回運動を行う支持棒または前記円周に垂直な平面上に於いて前記円周の中心付近を支点とした平行運動を行うリンク機構により、支持する事で、薬液吐出口に前記円周に垂直な方向の運動を可能とさせた事を特徴とする、請求項１記載の薬液分注装置。
【請求項３】
薬液吐出口を取り付けた、前記支持棒またはリンク機構をあらかじめバネ又は錘により、前記円周に垂直な平面上で一方向にオフセットしておき、前記円周上の所期の位置に於いて所期の吐出口またはこれを取り付けた前記支持棒またはリンク機構を、外部に固定した運動機構により押す事で、薬液吐出口を該オフセットと反対方向に移動出来るようにした事を特徴とする、請求項２記載の薬液分注装置。
【請求項４】
回転中心が中空となった回転アクチュエーターにより請求項１記載の旋回動作を行い、且つ請求項３記載の運動機構を該中空を通して外部に固定する事で、前記円周の中心付近に前記円周方向とこれに垂直な方向のアクチュエーターをまとめて配置したことを特徴とする、請求項３記載の薬液分注装置。
【発明の詳細な説明】
【０００１】
【発明が属する技術分野】
本発明は、小型で簡潔な構造を持つ複数の薬液を分注出来る薬液分注装置に関するものである。
【０００２】
【従来の技術】
薬液分注装置は薬液を少しずつ、注ぎ分ける装置であるが、１種類の薬液を複数の分注先容器等に注ぎ分けるもの、多種の薬液を１つの分注先容器等に注ぎ分けるもの、薬液と分注先容器等が共に複数のものと多様であるが、どれも装置の構造は直交３軸の直線案内に沿って単独又は一群の吐出口あるいは吐出口の付いた薬液容器が移動するものである。
【０００３】
しかし、直線案内にはストローク範囲の他に移動部分が案内方向から傾かない様に規制するための寸法が必要で、加えて直交２軸で平面を構成する場合は、片持ち支持の不安定さを避けるため、案内を２本にしたり一方を門型の構造体に取り付けるなどの必要があり大型化が避けられない。
【０００４】
事に、多種の薬液を分注する場合などでは一群の吐出口の内のひとつだけを分注先容器等に垂直に近づけるためには全ての吐出口に垂直の直線案内を取り付け、且つ該直線案内にアクチュエーターを取り付ける必要がある。また、薬液容器の交換など操作の必要から密着配置が出来ないため、一群の吐出口を配置した部分は複雑化且つ肥大化し、肥大化した分、他の直線案内のストロークの増大が必要となる悪循環に陥っているのが現状である。
【０００５】
【発明が解決しようとする課題】
解決しようとする問題点は、複数薬液の分注装置の複雑で大型さらに高価でありながら操作性の悪い構造を、小型で簡潔、安価で使いやすいなものとする事である。
【０００６】
【課題を解決するための手段】
本発明は、従来の直交案内を回転案内に置き換え、従来一塊りとなっていた吐出口群を旋回する運動体の外縁に円周状に拡げて配置する事で小型で簡潔、安価で使いやすいなものとしたことを特徴とする。
【０００７】
【発明の実施の形態】
回転アクチュエーターに旋回運動体を取り付け、旋回運動体の周囲に各吐出口を円周上又は扇状に配置した。
【０００８】
【実施例１】
図１は、本発明装置の実施例の１つであって、最も簡単な構造のものである。回転軸を垂直にして固定された回転アクチユエーターに扇状の腕を取り付け、その先端に吐出口の付いた薬液容器を円弧状に配置したものである。
【０００９】
分注量の制御は圧縮空気を介して行われ、圧縮空気は外部で制御される。
【００１０】
旋回中心を中心として、薬液容器の反対側の旋回運動体を切り欠いた様な部分は、分注先容器等のメンテナンスへの配慮で、分注先容器等の交換などはこの部分を分注先容器等の上に移動することで可能になる。
【００１１】
【実施例２】
図２は、本発明装置の実施例の１つであって、実施例１の装置に上下動を加えたものである。薬液の飛散などを防止するために、複数の薬液容器の内、分注したい薬液容器だけを分注先容器等に近づけて、分注を行う。本実施例では薬液容器を傾けないようにリンク機構としている。
【００１２】
上下動のアクチュエーターであるエアーシリンダーは、回転アクチュエーターの中空穴を通して外部に固定されていて回転しない。このアクチュエーターが分注位置に移動してきたリンクの端を押すことで、そのリンクに取り付けられた薬液容器だけを下方の分注先容器等に近づける事が出来、この構造により各薬液容器毎にアクチュエーターを取り付ける必要が無くなる。
【００１３】
【実施例３】
図３は、本発明装置の実施例の１つであって、実施例２の装置の下方に２軸直交直線案内で構成されたワークテーブルを配置し、任意の複数薬液を任意の複数対象に注ぎ分けられるようにしたものである。この様な複雑なシステムでも本発明を用いれば、小型で簡潔な装置とする事が出来る。
【００１４】
【発明の効果】
以上説明したように本発明は小型で簡潔、安価な複数薬液の分注装置を実現し、操作勝手の良い薬液の分注を可能とした。
【図面の簡単な説明】
【図１】実施例１の説明図である。
【図２】実施例２の説明図である。
【図３】実施例３の説明図である。
【符号の説明】
１    吐出口付き薬液容器
２    圧縮空気送気用チューブの一部を図示
３    支持棒
４    リンク機構
５    バネ
６    吐出口
７    上下動用エアシリンダー
８    回転アクチュエーター
９    装置を取り付けるフレームの一部を図示
１０    分注先容器
１１    直交直線案内
１２    中空穴
【図１】
2004184294.tif 000002
【図２】
2004184294.tif 000003
【図３】
2004184294.tif 000004
(57)【要約】【課題】メーカー側から複数店舗へ、各商品ごとに広告情報を発信する業務の簡略化、およびその宣伝コストの低減化と、店舗側の情報開示における業務の簡略化と、その実施コストの低減化。【解決手段】情報発信本拠地に配信用サーバを立て、これからインターネット通信手段により各店舗店頭の専用ストリーミング再生端末へ情報配信し、これを再生する。【選択図】なし【特許請求の範囲】
【請求項１】
商品広告情報のメーカー側から店舗側への発信方法。
【請求項２】
メーカー側から受信した商品広告情報の店頭での開示方法。
【発明の詳細な説明】
【０００１】
【発明の属する技術分野】
本発明は、商品広告情報をメーカー側から店舗側へ発信し、これを開示するための方法に関する。
【０００２】
【従来の技術】
メーカー側が、商品ごとの広告情報を、チラシ等の印刷物やビデオテープ等の映像媒体に載せ、これを各店舗へ配送し、店舗側でこの印刷物を掲示する、あるいは映像媒体を再生する。
【０００３】
【発明が解決しようとする課題】
商品販促としては、ユーザーの購入意識の高揚や、その機会に直結した店頭における告知やデモが効果的であり、新商品やそのバージョンアップ、あるいは派生品ごとに、その使用法や効果事例を説明すべきであるが、これを複数の店舗やすべての商品に対し行うことは、メーカー側の配送にかかる業務コストや、店舗側での告知やデモにおける業務コストの増大と煩雑化を招く。
【０００４】
【課題を解決するための手段】
情報発信本拠地に配信用サーバを立て、これからインターネット通信手段を介して、各店舗店頭に設置したストリーミング再生端末へ情報配信し、これを再生させる。
【０００５】
【発明の実施の形態】
商品広告情報をストリーミングファイル化し、予め各店舗にこれを受信するための機能を備えた再生端末を設置して、これを受信しストリーミング再生する。
【０００６】
【実施例】
情報発信本拠地に、インターネット通信手段に準拠した配信用機器を設置し、配信したい商品広告情報をストリーミング再生用のファイル形式へデジタル変換して、これに格納する。
店舗側のストリーミング再生端末は、インターネット通信によりこの情報データを受信する装置を備え、受信や再生機能における自動動作プログラムを組み込む。
【０００７】
【発明の効果１】
自動受信機能により、商品ごとの広告情報をメーカー側から複数の店舗に対して、同時に情報配信や更新が行え、これにより商品情報発信における業務が簡易化し、これらにかかる宣伝コストを低減することができる。
【０００８】
【発明の効果２】
自動再生機能により、店舗側における告知やデモ実施における業務が大幅に軽減される。
(57)【要約】      （修正有）【課題】同一の平文に同一の暗号鍵を用いても、複数種類の暗号文を生成する暗号法を提供する。【解決手段】暗号鍵を辞書として用いることによって、一つの暗号鍵を用いて複数種類の暗号文を生成することが可能である。この技術は、暗号鍵を総当りさせることによる解読を無意味にし、暗号鍵の全体の把握を困難にすることができる。よって解読および盗聴等をより困難にでき、通信の安全を確保し、社会に貢献するのである。【選択図】なし【特許請求の範囲】
【請求項１】
本発明は、同一の平文を同一の暗号鍵を用いて暗号化しても複数種類の暗号文を生成する技術である。
【発明の詳細な説明】
【０００１】本発明は、同一の平文に同一の暗号鍵を用いても、複数種類の暗号文を生成することができる。
【０００２】暗号鍵を辞書として用いることで、暗号化を施す対象に発現する文字列、もしくは電気信号等の並びの要素それぞれについて、複数種類の要素へと写像を行う。
【０００３】暗号鍵を辞書として用いることで、暗号化を施す対象に発現する文字列、もしくは電気信号等の並びの要素とは無関係な要素を付加することにより、暗号文の一要素あたりの平文の要素数を変化させることができる。
【発明の属する技術分野】
【０００４】情報セキュリティーの分野における、基礎的アルゴリズムに関する発明である。
【従来の技術】
【０００５】同一の平文に同一の暗号鍵を用いても暗号文は一種類しか生成できない。
【０００６】昨今の計算機技術の進歩はめざましく、一種類の暗号鍵で一種類の暗号文しか生成しないような暗号技術では、暗号鍵を総当りさせることで暗号を破ることが容易に行われる。
【発明が解決しようとする課題】
【０００７】本発明が解決しようとする課頭は、同一の平文に同一の暗号鍵を用いると、一種類の暗号文しか生成しないことである。
【０００８】、一種類の暗号文しか生成しない暗号技術では、暗号鍵を総当りで組み合わせることで解読されてしまう。
【０００９】計算機技術の進歩による暗号解読に必要な時間が短縮されてきている。
【課題を解決するための手段】
【００１０】コンピュータを操作し、暗号鍵を辞書として用いることで解決する。
【発明の実施の形態】
【００１１】コンピュータを操作し、暗号鍵を辞書として用いることで解決する。
【実施例】以下において本発明の実施例を示すが、本発明は以下の実施例にのみ限られるものではない。
【実施例１】平文「０４９」（文字列）について暗号化を行う。
以下の内容をもつ暗号鍵を用意し辞書として用いる。
暗号鍵のはじめ＞
「０」を「Ａ」「Ｂ」「Ｃ」のいずれか一つに写像する。
「４」を「Ｄ」「Ｅ」「Ｆ」のいずれか一つに写像する。
「９」を「Ｇ」「Ｈ」「Ｉ」のいずれか一つに写像する。
＜暗号鍵のおわり
この暗号鍵を用いて「０４９」（文字列）に暗号化を施すと、
３×３×３＝２７  となり、
２７種類の暗号文を生成することができる。列挙すると次のようになる。
「ＡＤＧ」「ＡＤＨ」「ＡＤＩ」「ＡＥＧ」「ＡＥＨ」「ＡＥＩ」
「ＡＦＧ」「ＡＦＨ」「ＡＦＩ」「ＢＤＧ」「ＢＤＨ」「ＢＤＩ」
「ＢＥＧ」「ＢＥＨ」「ＢＥＩ」「ＢＦＧ」「ＢＦＨ」「ＢＦＩ」
「ＣＤＧ」「ＣＤＨ」「ＣＤＩ」「ＣＥＧ」「ＣＥＨ」「ＣＥＩ」
「ＣＦＧ」「ＣＦＨ」「ＣＦＩ」
【実施例２】平文「０４９」（文字列）について暗号化を行う。
以下の内容をもつ暗号鍵を用意し辞書として用いる。
暗号鍵のはじめ＞
乱数を用いて文字の間に「５」「６」「８」を付加する。
＜暗号鍵のおわり
この暗号鍵を用いて「０４９」（文字列）に暗号化を施すと、
（４×４×４×４）−１＝２５５となり、
２５５種類の暗号文を生成することができる。
【実施例３】平文「０４９」（文字列）について「実施例１」「実施例２」を組み合わせて暗号化を行う。
以下の内容をもつ暗号鍵を用意し辞書として用いる。
暗号鍵のはじめ＞
「０」を「Ａ」「Ｂ」「Ｃ」のいずれか一つに写像する。
「４」を「Ｄ」「Ｅ」「Ｆ」のいずれか一つに写像する。
「９」を「Ｇ」「Ｈ」「Ｉ」のいずれか一つに写像する。
乱数を用いて文字の間に「５」「６」「８」を付加する。
＜暗号鍵のおわり
この暗号鍵を用いて「０４９」（文字列）に暗号化を施すと、
６８８５＝（３×３×３）×｛（４×４×４×４）−１｝  となり、
６８８５種類の暗号文を生成することができる。
【発明の効果】
【００１２】本発明により、暗号文を複数の種類生成することができる。盗聴者が盗聴を行っても入手できるのは、複数種類ある暗号文のうちの一種類だけである。よって暗号鍵を暗号文に対して総当りさせることによって解読に成功しても、盗聴者は暗号鍵の一部を知るにすぎない。このようにして、暗号鍵の全体を知ることを困難にすることができ、計算機技術の向上による暗号の脆弱化を防ぐことができる。さらには、情報通信網ネットワークや各種媒体等を通して行われる電子商取引や企業の顧客情報等、重要な情報等の交換について、その安全性を確保することができるのである。
(57)【要約】【課題】本発明は各種眼鏡に簡単に脱着出来る様にした小型で軽量の眼鏡に付ける小型ライトを提供する。【解決手段】眼鏡紐の両端に反射鏡の付いた光輝度ＬＥＤを夫々取り付け、これらを眼鏡の左右のレンズ上部に簡単に脱着出来る様にし、この高輝度ＬＥＤを点灯させる電源と点滅用のスイッチをこの紐の中央部に設けた電池装填ケースに一体化した、眼鏡紐に付けた眼鏡用小型ライトを特徴とする。【選択図】    図２
2004184956.tif 000002
【特許請求の範囲】
【請求項１】
眼鏡に脱着出来る小型の照明具において、眼鏡紐の両端に高輝度ＬＥＤを夫々取り付け、これを眼鏡の左右のレンズ上部に脱着出来る様にし、この高輝度ＬＥＤを点灯させる電源と点滅用スイッチをこの眼鏡紐の中央部に設ける電池装填ケースに一体化した、眼鏡紐に電源部と照明部を設けた眼鏡用小型ライト。
【発明の詳細な説明】
【０００１】
【発明が属する技術分野】
本発明は各種眼鏡に簡単に脱着出来る様にした小型で軽量の眼鏡に付ける小型ライトである。
【０００２】
【従来技術】
従来には、ベルト等で頭部に固定するヘッドライトや眼鏡のフレームにＬＥＤを取り付けた照明具があったが、何れもバッテリーケースが別途必要となり、形が大きく使用上違和感を伴うものであった。（例えば特許文献１参照）
【０００３】
【特許文献１】
特開２００２−２２８９９２号公報
【０００４】
【発明が解決しようとする課題】
そのために、次のような欠点があった。
（イ）眼鏡に脱着するＬＥＤの照明部とこれを制御する回路が大型で重たく眼鏡に取り付けるには大きな違和感があった。
（ロ）この装置使用時にＬＥＤと制御回路を動作させる、外部電源の接続が必要であった。
本発明は、これらの欠点を解決するためになされたものである。
【０００５】
【課題を解決するための手段】
眼鏡紐１０５の両端に高輝度発光ダイオード１０７を夫々取り付ける。これを眼鏡紐中央部に付けた電池ケース１０９の電池で点灯出来る様に配線をする。そしてこの高輝度発光ダイオードの部分を眼鏡レンズ１０３へネジ１１１によって簡単に脱着できる様にする。
本発明は、以上の構成からなる眼鏡に脱着出来る小型ライトである。
【０００６】
【発明実施の形態】
以下、本発明の実施の形態に付いて説明する。
眼鏡紐１０５の中央部に取り付けた電池ケース１０９の電池１１４から眼鏡紐に沿わせた配線１１３をこの紐の両端に取り付けた高輝度発光ダイオード１０７に接続する。これを反射鏡１０６を介しブラケット１０８にセットする。更にこれを眼鏡レンズ１０３の左右の上部端にネジ１１１で締め付け固定する。使用時は電池ケース１０９に付いている点滅スイッチ１１０をＯＮにして使う。
【０００７】
【発明の効果】
（イ）暗い場所に於いて懐中電灯やその他の照明を必要とせず、両手を自由に使い手作業や読書及び記録等の照明を行う事が出来る。
（ロ）多人数の中でも周囲の人に照明による迷惑を掛ける事無く、自分の必要な時間に必要な部分のみ照明する事が出来る。
（ハ）眼鏡紐に小型の電池を内蔵する為に使用時に全く違和感がない。
（ニ）自分の目に合った各種眼鏡にも簡単に脱着出来る。
【図面の簡単な説明】
【図１】本発明の正面図
【図２】本発明の使用説明図
【図３】本発明の側面図
【図４】本発明の回路図
【符号の説明】
１００、      眼鏡ライト全体図
１０１、      眼鏡
１０２、      フレーム
１０３、      レンズ
１０４，      つる
１０５，      眼鏡紐
１０６，      反射鏡
１０７，      高輝度ＬＥＤ
１０８，      ブラケット
１０９、      電池ケース
１１０、      スイッチ
１１１、      ブラケット固定ネジ
１１２、      ゴムパッキン
１１３，      電源ケーブル
１１４，      電池
【図１】
2004184956.tif 000003
【図２】
2004184956.tif 000004
【図３】
2004184956.tif 000005
【図４】
2004184956.tif 000006
(57)【要約】【課題】畑、果樹に飛来する害虫の捕獲器であって、誘蛾灯と性フェロモン剤など誘引剤を併用し、特に害虫が活発に飛び回る夜間における捕獲効率を良くする。【解決手段】水を張った捕獲容器１の中央に立設したパイプ２に誘蛾灯３を設け、該誘蛾灯３を透明な円錐型カバー４で覆うと共に、該円錐型カバー４に被せる傘型カバー５の頂部に誘引剤６を設けた。そして前記円錐型カバー４と傘型カバー５の接合部に通気穴８を設けて害虫の誘引ガスを外部に放出するようにした。【選択図】  図１
2004350609.tif 000002
【特許請求の範囲】
【請求項１】
水を張った捕獲容器（１）の中央に立設したパイプ（２）に誘蛾灯（３）を設け、該誘蛾灯（３）を透明な円錐型カバー（４）を上向きにして覆うと共に、該円錐型カバー（４）に被せる傘型カバー（５）の頂部に誘引剤（６）を設けた害虫捕獲器。
【請求項２】
前記円錐型カバー（４）と傘型カバー（５）の接合部に複数個の通気穴（８）を設けて害虫の誘引ガスを外部に放出するようにした請求項１記載の害虫捕獲器。
【発明の詳細な説明】
【０００１】
【発明の属する技術分野】
本発明は稲、その他の作物、または果樹に飛来する害虫を昼夜問わず捕獲するための害虫捕獲器に関する。
【０００２】
【従来の技術】
【特許文献１】特開２０００−６０４０３号
【特許文献２】実公昭６４−７６８号
【特許文献３】実開昭６２−１４９９７０号
【特許文献４】特開平５−７６２６４号
稲、茶、果樹など栽培作物に飛来する鱗支目、その他の飛翔性害虫を捕捉するために誘蛾灯または性フェロモン（以下フェロモンという）など誘引剤を用いたものなどがある。
【０００３】
例えば、特許文献１（特開２０００−６０４０３号）のものは、円筒状の捕虫器本体内にフェロモン剤を背面に塗布したロートの下部に近接させてルーフ状の邪魔板を設け、その背面に弱い光源を取り付けて害虫を底部へ落とし込む捕虫器を提案している。然しながらこの光源は外部に漏洩しないが上部に飛来したときに害虫の目に入る程度のものであって周辺の害虫を引き寄せるためのものでは無い。
【０００４】
また特許文献２（実公昭６４−７６８号）のものは、下部が大径となる錐形部材の内側に誘引剤を設け、錘形部材の下部に捕虫容器を設けて誘引剤につられて飛来する害虫が錘形部材の傾斜面に当たり下方に滑り落ちるようにしたものである。また特許文献３（実開昭６２−１４９９７０号）のものは、特許文献２とほぼ同様のものであるが錘形部材の上部を大径にしたこと、さらに特許文献４（特開平５−７６２６４号）のものは錘形部材の傾斜角を４５℃以上とした点が異なる。然しながらいずれも光による害虫の誘引は何ら考慮されていない。
【０００５】
【発明が解決しようとする課題】
本発明は、誘蛾灯と性フォルモンなど誘引剤を併用し、特に害虫が活発に飛び回る夜間における捕獲効率を上げることを目的とする。
【０００６】
【課題を解決するための手段】
本発明の害虫捕獲器は、請求項１記載のように水を張った捕獲容器１の中央に立設したパイプ２に誘蛾灯３を設け、該誘蛾灯３を透明な円錐型カバー４を上向きにして覆うと共に、該円錐型カバー４に被せる傘型カバー５の頂部に誘引剤６を設けたことを第１の特徴とする。
【０００７】
そして請求項２記載のように、前記円錐型カバー４と傘型カバー５の接合部に複数個の通気穴８を設けて害虫の誘引ガスを外部に放出するようにしたことを第２の特徴としている。
【０００８】
【発明の実施の形態】
次に本発明の実施の形態を図面によって説明する。図１は本装置の斜視図を示し、図２は図１の中央縦断面図である。
【０００９】
本発明の害虫捕獲器は、図１及び図２に示すように、水を張った捕獲容器１の中央に立設したパイプ２の頂部に誘蛾灯３を設置し、該誘蛾灯３を大径部が上を向くよう４５度以上傾斜させた透明な円錐型カバー４で覆うと共に、該円錐型カバー４に被せる不透明な傘型カバー５の内方頂部に誘引剤６を設けたものである。そしてこの誘引剤から発する害虫の誘引ガスは、円錐型カバー４と傘型カバー５の接合部に複数個設けた通気穴８から外部に放出するようにした。そして前記誘蛾灯３を夜間のみ点灯するよう薄暮検知センサー７でＯＮ／ＯＦＦするようにした。またこの害虫捕獲器は何処へでも設置できるように電源プラグ９による電源接続、またはバッテリー、太陽電池などを用いることもできる。尚、誘引剤６はカートリッジ式になっており傘型カバーの頂部に外側から着脱できるようになっている。
【００１０】
このように構成したから夜間は誘蛾灯の明るい光が透明な円錐型カバー４を透過して周方向に漏洩するため遠方の害虫も誘引することが出来る。そして近づくと気化されたフェロモンが円錐型カバー４と傘型カバー５の接合部の通気穴８から放出され、円錐型カバー４の傾斜面に沿って流れるので害虫を逃すことがない。そして害虫は傾斜面に着地しても傾斜面は４５度以上あるので直ぐ落下して水を張った捕獲容器中に落ち確実に捕獲することが出来る。また昼間は誘蛾灯は点灯しないが気化されたフェロモンが常時接合部の通気穴８から放出されるので害虫を引き寄せることが出来る。
【００１１】
【発明の効果】
本発明の害虫捕獲器は上述のようにコンパクトに構成したから必要な場所に簡単に移動が出来る。また誘蛾灯をめがけて透明な円錐型カバー４に向かってくる蛾など害虫は、その上方の通気穴８から放出するフェロモンに引き寄せられ円錐型カバー４面に着地しても４５度以上の傾斜があるため直ちに下方の水を張った容器内に落下して確実に捕獲することが出来る。
【図面の簡単な説明】
【図１】本発明、害虫捕獲器の斜視図である
【図２】図１の中央縦断面図である。
【符号の説明】
１  捕獲容器
２  パイプ
３  誘蛾灯３
４  円錐型カバー
５  傘型カバー５
６  誘引剤
７  薄暮検知センサー
８  通気穴
９  電源プラグ
【図１】
2004350609.tif 000003
【図２】
2004350609.tif 000004
(57)【要約】      （修正有）【課題】従来からの糸結びによる漁網の仕立て作業は、仕上るまでに長時間を要する等の問題に対して、すべり止めと抜け戻り防止用カギを有する金属製又は合成樹脂製の打ち押し式Ｕ字型漁網仕立て部品を提供する。【解決手段】糸結びの方法を廃止し、それに代わるものとして、金属製又は合成樹脂製の細線に、すべり止め２と抜け戻り防止用カギ３を設けたＵ字型漁網仕立て部品を機械機具使用により打ち押しすることを特徴とする。従って作業能率が向上する。【選択図】図３
2004350673.tif 000002
【特許請求の範囲】
【請求項１】
金属製又は合成樹脂製の細い線（１）を図３の如くＵ字型に曲げて、内側にすべり止め（２）を刻み両端に抜け戻り防止用のカギ（３）をつくる。
以上のようにつくられた漁網仕立て部品。
【発明の詳細な説明】
この発明は漁網を仕立てる時に使用する仕立て部品に関するものである。
従来漁網の仕立て作業は、図１の如く、糸（７）を用いて人が主に指先を使い、結ぶことにより仕立てられている。
そのため仕上るまでに長時間を要し、作業能率も上らず、又操業中に糸が解けたり、ズレたりする欠点があった。
この発明は以上のような非能率性を解決するため、図３に示されている仕立て部品を使うことにして、糸結びの方法を廃止した。
これを図面によって説明すると、
金属製又は合成樹脂製の細い線（１）をＵ字型に曲げて、内側に、すべり止め（２）を刻み、両端に抜け戻り防止用のカギ（３）をつくる。
この仕立て部品を使用するときは、網端（６）の数と、めくぐり（５）及び綱（４）の矩離を順次に確認し、調整した後、作業定点に対し、仕立て部品を当てて、図２及び図４の状態になるまで強力に打ち押しする。
その結果、すべり止め（２）は、めくぐり（５）に対し、カギ（３）は綱（４）に対して必然的に突き刺さり、図２、及び図４の状態になる。従って綱（４）とめくぐり（５）は、すべり止め（２）とカギ（３）の効力により、密着して、ズレることもなく、離れることもなくなり、この発明本来の目的が達成される。
この仕立てに関する打押作業は、機械機具を用いて行うので能率は向上する。
なおこの発明の実施態様として、つぎのことができる。
〔実施態様１〕
すべり止め（２）とカギ（３）は、仕立部品本体（１）と別質のものを附着させることもできる。
〔実施態様２〕
すべり止め（２）とカギ（３）は、綱（４）、めくぐり（５）の形状に合わせて、数を増減することもできる。
【図面の簡単な説明】
【図１】従来の糸結び仕立て方法
【図２】本発明部品の使用図
【図３】本発明仕立て部品
【図４】図２の側断面図
【符号の説明】
（１）は、本発明仕立て部品の主体
（２）は、すべり止め
（３）は、抜け戻り防止用のカギ
（４）は、綱
（５）は、めくぐり
（６）は、網端
（７）は、結び糸
【図１】
2004350673.tif 000003
【図２】
2004350673.tif 000004
【図３】
2004350673.tif 000005
【図４】
2004350673.tif 000006
(57)【要約】      （修正有）【課題】兎、モルモット等の動物の過食及び栄養過多を起因とする肥満及び内臓障害を軽減する。【解決手段】牧草微粉末を一切含有しないことを特徴とすれば、グラム当たりのカロリーは従来品を上回るものの、動物が必要としている一日のカロリーを少量の飼料で充当できることとなり、総体的に見れば脂質及びタンパク質の過剰摂取を抑制することとなり、兎、モルモット等の過食及び栄養過多を起因とする肥満及び内臓障害を防止することができる。【選択図】なし【特許請求の範囲】
【請求項１】
イネ科に属するティモシー、オーチャードグラス、イタリアンライグラス、スーダングラス等、および豆科に属するアルファルファ等の牧草微粉末を一切含有しないことを特徴とした動物用飼料。
【発明の詳細な説明】
【０００１】
【発明の属する技術分野】
本発明は、兎、モルモット等の動物の過食及び栄養過多を起因とする肥満及び内臓障害を軽減する事を目的としたものに関する。
【０００２】
【従来の技術】
現在、販売されている動物用の飼料を見ると、動物の嗜好のみ重視した、所謂、食いつきを高める目的と牧草微粉末を成型する上でのセメント剤としてトウモロコシ及び麦類が混入されている。
【０００３】そのため、動物が必要以上に摂取することとなり、カロリーの過剰摂取に繋がり、栄養過多による肥満及び内臓障害等に陥るケースが散見される。
【０００４】
【発明が解決しようとする課題】
そこで本発明は、動物の健康維持を目的として、ティモシー、オーチャードグラス、イタリアンライグラス、スーダングラス等、および豆科に属するアルファルファ等の牧草微粉末を一切含有しない動物用飼料を作製する。
【０００５】
【課題を解決するための手段】
本発明のうち請求項１記載の発明によれば、イネ科に属するティモシー、オーチャードグラス、イタリアンライグラス、スーダングラス等、および豆科に属するアルファルファ等の牧草微粉末を一切含有しないことを特徴とすれば、グラム当たりのカロリーは従来品を上回るものの、動物が必要としている一日のカロリーを少量の飼料で充当できることとなり、総体的に見れば脂質及びタンパク質の過剰摂取を抑制することとなり、兎、モルモット等の過食及び栄養過多を起因とする肥満及び内臓障害を防止することができる。
【０００６】
【発明の実施の形態】
イネ科に属するティモシー、オーチャードグラス、イタリアンライグラス、スーダングラス等、および豆科に属するアルファルファ等の牧草微粉末を動物用飼料に添加する場合は、成型加工上に於いて、トウモロコシ及び麦類がセメント剤として必要不可欠である。
この為、従来の飼料に多く見られる牧草微粉末１０％から３０％含有飼料はトウモロコシ及び麦類の含有比率が低いがゆえに動物の飼料の摂取量の総量が多くなり肥満及び内臓障害を起こす場合が多い。
本発明は、牧草の微粉末を一切混入せず、トウモロコシ及び麦類に各種ビタミンとミネラルを加えた飼料である。
【０００７】
【発明の効果】
本発明の動物用飼料を投与すると、従来の飼料に比べ、過食による肥満及び内臓障害が大幅に減少するばかりでなく、兎、モルモット等の本来の主食である牧草を中心とした食環境に移行することとなり、自然環境に戻った健康維持が可能であると考えられる。
(57)【要約】【課題】（従来抱えていた問題点）従来、豆腐は冷蔵状態で保存流通されているが、長期保存することはできずに、食品加工の具材などとして、加工食品製造に使用することが困難であった。長期保存可能な豆腐として凍り豆腐、高野豆腐、ＦＤ豆腐、レトルト豆腐、冷凍豆腐があるが、どの豆腐も本来の風味、滑らかな食感からかけ離れた品質であるという問題点があった。【解決手段】（発明の要約）豆腐を炒めることにより水分率を６５％〜８０％調整し、冷凍することで、長期保存が可能で、豆腐本来の風味となめらかな食感のある冷凍炒め豆腐の製造方法を発明することができた。本発明により、豆腐本来の風味、なめらかな食感を有する長期保存することが可能になり、食品加工に具材等として利用できる冷凍炒め豆腐の製造方法が確立された。【選択図】                なし【特許請求の範囲】
【請求項１】
豆腐の表面を炒めた後、凍結処理を施すことを特徴とする冷凍炒め豆腐の製造方法。豆腐の表面を炒めた後、煮込み味付けをし、凍結処理を施すことを特徴とする水分率６５％〜８０％の冷凍炒め豆腐の製造方法。
【請求項２】
請求項１の豆腐の炒め方に、直火のフライパンや鉄板のようなものや、ＩＨ（電磁誘導加熱）、電子レンジ加熱をも含めた炒め方法で製造する冷凍炒め豆腐の製造方法。
【請求項３】
請求項１の豆腐を味付け処理を行わず冷凍し、湯煎又はスチーム解凍、自然解凍、電子レンジ等の器具での解凍を行い使用する冷凍炒め豆腐の製造方法。
【発明の詳細な説明】
【０００１】
【発明の属する技術分野】
本発明は、長期保存しても豆腐本来のなめらかな食感を保持することのできる冷凍炒め豆腐の製造方法に関する。
【０００２】
【従来の技術】
長期保存が可能な豆腐として常温下においては、凍り豆腐、高野豆腐、ＦＤ豆腐，レトルト豆腐、冷凍下では冷凍豆腐があるが、どの豆腐も本来の風味、なめらかな食感から離れた品質である。
【０００３】
【発明が解決しようとする課題】
冷凍豆腐をさらに一般的にチルド（冷蔵）流通されている豆腐の食感に近づける加工技術を開発することである。
【０００４】
【課題を解決するための手段】
フライパンないし、鉄板のような直火で加熱することのできる機器の上で豆腐を炒める工程を設けることにより、凍結処理を施しても解凍後の豆腐の風味、食感のなめらかさを失うことなく良好になる。
【０００５】
【発明の実施の利点】
冷凍炒め豆腐は、惣菜の具材、弁当のおかず、保存食としての利用、加工食品の材料など様々な食品素材としての利用価値がある。豆腐の凍結品は今まで様々な試みがなされたが、どの方法も豆腐の組織が硬くなりとろみのある豆腐本来の持ち味を保持できなかった。しかしながら食品を加工する業界においては凍結した豆腐の要望があり、冷凍食品の技術力の向上とともに、冷凍豆腐の発明がなされている。これは主に、業務用として冷凍豆腐が販売、利用されているがやはり、豆腐本来の風味、なめらかな食感が残らない。
【０００６】
今回、豆腐の冷凍前の処理として、様々な試行錯誤をし、試作を重ねた結果、表面を炒めることにより冷凍しても、解凍後、豆腐本来の風味となめらかな食感を保持することができることが判明した。チルド流通している通常の豆腐と同等の食感、品質を得ることが判明した。
【０００７】
本発明に使用する豆腐については、絹ごし・木綿の種類を問わずあらゆる種類の豆腐に対して適用される。ただし、加工処理のしやすさから、やや硬めの豆腐のほうが良い。加工する豆腐のカットサイズは食べやすい一口サイズ３×４×１．５ｃｍぐらいが望ましい。
【０００８】
炒める方法については、フライパンないし鉄板のように直火のできるプレートの上に油脂を薄く広げ、その上で豆腐を炒める。加熱の度合いは表面が軽くきつね色になる程度にしておくことが肝心なところである。炒めが足らないと冷凍後の食感がぱさつく豆腐になり、炒めすぎると揚げ出し豆腐のように油で揚げたような食感になってしまう。
【０００９】
炒めた後の豆腐は冷水に入れ、油分と表面の焦げカスを流し去る。この豆腐を水切りした後、味付け作業を施しても良いし、そのまま凍結しておいて数日後に味付けして冷凍しても本効果は維持できる。
【００１０】
水切りした豆腐は和風ないし、洋風または中華風の味液に浸漬または、煮込むことにより味付けができる。
【００１１】
湯煎の状態で過熱後、凍結しても良い。
【００１２】
凍結方法は緩慢凍結、急速凍結の手段を選ばず、フリーザーの方式、能力に係わらず−１８℃以下になれば良い。
【００１３】
【実施例】
一口サイズで食べやすいように、水分率８７％木綿豆腐を３×４×１．５ｃｍに包丁で切る。
鉄板にサラダ油（食用油脂であれば可能）を薄く広げ、加熱する。
その上に裁断した豆腐を置き炒める。加熱は表面が軽くきつね色になる程度に炒める。
炒めた豆腐は冷水に入れ、油分と表面の焦げカスを流し去る。
水切りした豆腐は和風ないし、洋風または中華風の味液に浸漬し、煮込むことにより味付けができる。例として、味液Ａに漬け込み２時間ほど煮込んだ後、急速凍結処理（−４０℃で３０分間）を施した後冷凍保管し、最終的に水分率７４％の冷凍炒め豆腐を試作した。冷凍炒め豆腐は電子レンジ解凍し試食を行った。
2004350665.tif 000002
試食結果
１０人（Ａ〜Ｊ）の官能検査の結果、味、風味、食感のいずれにおいても豆腐の品質を損なわずおいしい豆腐が保持できると評価された。
2004350665.tif 000003
評価の内容
５点：豆腐（冷蔵流通品）よりも優れている。
４点：豆腐（冷蔵流通品）とほぼ同等の品質である。
３点：豆腐（冷蔵流通品）の品質に近いが風味、滑らかさのいずれかが少し劣る。
２点：豆腐（冷蔵流通品）と比較して風味、滑らかさがやや劣る。
１点：豆腐（冷蔵流通品）よりもかなり品質として劣る。
【００１４】
【発明の効果】
本発明により、冷凍状態で長期保存が可能であり、必要な時に取り出して自然解凍又は電子レンジ加熱のような加熱機器を利用して解凍して、お弁当のおかずから、惣菜の具など、様々な利用方法があり、あらゆる食品加工の分野で利用価値がある冷凍炒め豆腐の製造方法が確立された。
(57)【要約】【課題】昆布塩を製造する場合、塩（食塩、精製塩、自然塩等）と昆布粉末を混合すると昆布と塩（食塩、精製塩、自然塩等）が分離しやすいものとなり、さらに旨味が一味欠けたものとなる。【解決手段】塩（食塩、精製塩、自然塩等）に昆布粉末を混合して昆布塩を製造すると、塩（食塩、精製塩、自然塩等）と昆布粉末と分離しやすい。そこで塩（食塩、精製塩、自然塩等）に昆布粉末と魚醤も混合する事によって昆布の粘性成分が溶出する。さらに加熱しながら乾燥する事により塩（食塩、精製塩、自然塩等）に昆布粉末が結着した魚臭の少ない、昆布と魚醤の旨味のある焼き塩タイプの昆布塩ができる。【選択図】    なし【特許請求の範囲】
【請求項１】
塩（食塩、精製塩、自然塩等）に魚醤と昆布粉末を吸着させた焼き塩タイプの昆布塩。
【請求項２】
塩（食塩、精製塩、自然塩等）に魚醤１０％と昆布粉末５％を吸着させた焼き塩タイプの昆布塩。
【請求項３】
塩（食塩、精製塩、自然塩等）に魚醤１０％と厚葉昆布粉末５％を吸着させた焼き塩タイプの昆布塩。
【請求項４】
塩（食塩、精製塩、自然塩等）に魚醤と昆布粉末を混合し加熱しながら乾燥することによって魚醤と昆布を吸着させた請求項１〜３の何れかの１項に記載の焼き塩タイプの昆布塩の製造方法。
【発明の詳細な説明】
【０００１】
【産業上の利用分野】
本発明は塩（食塩、精製塩、自然塩等）に旨味成分である魚醤と昆布粉末が結合された塩味調味に優れた焼き塩タイプの昆布塩とその製造方法に関するものである。
【０００２】
【従来の技術】
昆布塩としては特開２００３−０８８３２６がある。この方法はと１００メッシュの篩を通過した昆布粉末と食塩を混合する方法であるが、この方法では昆布と食塩の結着性が充分でなく食塩と昆布が分離する欠点をもっている。さらに旨味の一味欠けたものになる。
また、水溶性エキス成分を抽出して食塩に結着させた製造方法として特許２８５３９４６がある。この方法は食塩に対して水分が多いため減圧乾燥で製造している。
しかし、塩（食塩、精製塩、自然塩等）に魚醤と昆布粉末を一体化した焼き塩タイプの昆布塩はない。
【０００３】
【発明が解決しようとする課題】
従来の技術で述べたものにあっては、食塩と昆布粉末の結着が弱く分離しやすい。また、水溶性エキス成分を結着させるためには多量の水分を加える事になり減圧乾燥などを行わなければならないなどの問題点を有していた。
【０００４】
【課題を解決するための手段】
塩（食塩、精製塩、自然塩等）に昆布粉末を混合して昆布塩を製造すると、塩（食塩、精製塩、自然塩等）と昆布粉末と分離しやすい。そこで塩（食塩、精製塩、自然塩等）に昆布粉末と魚醤も混合する事によって昆布の粘性成分が溶出する。さらに加熱しながら乾燥する事により塩（食塩、精製塩、自然塩等）に昆布粉末が結着した魚臭の少ない、昆布と魚醤の旨味のある焼き塩タイプの昆布塩ができる。
【０００５】
【作用】
作用については効果と共に説明する。
【０００６】
【実施例】
食塩１０ｋｇに昆布粉末（長昆布）５００ｇを攪拌機付のニーダーで混合する。さらにサンマ魚醤１ｋｇを混合する。その後、攪拌し、蒸気で加熱しながら乾燥する。
【０００７】
食塩１０ｋｇに昆布粉末（猫足昆布）５００ｇを攪拌機付のニーダーで混合する。さらにサンマ魚醤１ｋｇを混合する。その後、攪拌し、蒸気で加熱しながら乾燥する。
【０００８】
シママース（製造者  青い海）１０ｋｇに昆布粉末（厚葉昆布）５００ｇを攪拌機付のニーダーで混合する。さらにサンマ魚醤１ｋｇを混合する。その後、攪拌し、蒸気で加熱しながら乾燥する。シママースよりさらさらした焼き塩タイプの昆布塩となる。
【０００９】
食塩１０ｋｇに昆布粉末（厚葉昆布）５００ｇを攪拌機付のニーダーで混合する。さらにサンマ魚醤１ｋｇを混合する。その後、攪拌し、蒸気で加熱しながら乾燥する。
昆布粉末は食用昆布であればどの昆布でも従来にない旨味のある焼き塩タイプの昆布塩ができる。しかし、その中でも厚葉昆布を使用したものが一番すぐれている。また魚醤はどんな原料を用いた魚醤でもかまわない。
【００１０】
焼き塩タイプの昆布塩をサンマの開きに２％ふりかけ、一晩放置し、その後、除湿乾燥機で２０℃で３時間乾燥し、焼いて食したら食塩単独で味付けしたものより非常に旨味のあるものであった。
【００１１】
串に刺した焼きとり用肉に焼き塩タイプの昆布塩をふりかけて焼いて食したら食塩単独で味付けしたものより非常に旨味のあるものであった。
【００１２】
牛タンに焼き塩タイプの昆布塩ををふりかけて焼いて食したら食塩単独で味付けしたものより非常に旨味のあるものであった。
【００１３】
【発明の効果】
本発明は、上述の通り構成されているので次に記載する効果を奏する。
塩（食塩、精製塩、自然塩等）と昆布粉末を魚醤で結着させて一体化させた焼き塩タイプの昆布塩は、加熱することにより魚臭の少ない、昆布の旨味と魚醤のアミノ酸を含んだ旨味の豊富な塩となり、食塩と同様に使用する事により、化学調味料を使用しなくても今までよりおいしい味付けができる。
(57)【要約】【課題】辛味大根及び辛味成分を有する大根類の収穫は、一定の時期、一定の産地（国内及び中国を含めた諸外国）に限られており、その新鮮な大量な大根を、冷凍大根おろしとして長期保存しても、辛味成分を失わず変質しない製造方法を提供する。又、食する時は、自然解氷するだけで、製造時の風味を有する、辛味豊かな安全な大根おろしである。【解決手段】すりおろされた辛味大根おろしに、規定量のビタミンＥ乳化剤を添加し、一定量を包装し冷凍することを特徴とする冷凍大根おろしの製造方法である。この冷凍大根おろしは、長期間（一年以上）冷凍保存しても辛味成分を失わず、変色変質せず、製造時の品質が保持されていることを特徴とする。【特許請求の範囲】
【請求項１】
辛味大根（カラマル、辛味１９９等）及び辛味成分を有する大根類を原料とした大根おろしに、酸化防止に規定量の抽出ビタミンＥ乳化剤を添加し冷凍保存することにより、一年間以上、製造時の品質が保持された辛味大根おろしの製造方法である。
【発明の詳細な説明】
【０００１】
【発明の属する技術分野】
この発明は、通常油脂を含む加工食品の酸化防止に使用されているビタミンＥ乳化剤を辛味大根おろしに添加することにより、辛味成分の長期保持と褐変による変質が防止でき長期保持ができる。
【０００２】
【従来の技術】
従来、酸化防止のため、ビタミンＣ（Ｌ−アスコルビン酸）を一定量添加、凍結保存による方法が取られているが、おおむね一週間経過頃より酸化防止剤自体の自壊作用により褐変が始まり、２４時間で辛味が減少する。このため、辛味大根を原料とする大根おろしは、その都度使用する量をすりおろすしかなく、長期保存は困難とされていた。また、長期保存のため辛味大根おろしを乾燥させ、必要時に水に戻して食す方法もあるが、本来の大根おろし風味とは異なるものである。
【０００３】
【発明が解決しようとする課題】
辛味大根おろしが、製造時の品質が保持され長期に冷凍保存されることにより、大量に消費するファーストフード店、コンンビニの弁当等、外食産業の付け合わせに利用出来る。
【０００４】
【課題を解決するための手段】
本発明は、辛味大根及び辛味成分を有する大根類の、糖が結合した状態で細胞内に存在している４メチルチオ−３プテニル辛子油をすりおろすことにより、細胞が破壊され、細部膜に存在する酵素がグルコシノレートに作用、この糖が切断されて生じた辛味成分がビタミンＥ乳化剤の添加により包囲され、長期冷凍保存しても辛味が保持され、褐変しない品質の安定した大根おろしが製造出来る。
【０００５】
【発明の実施の形態】
以下、本発明の実施の形態について説明する。
第一工程  原料となる辛味大根を洗浄し腐れ等を除去し両端をカットする。
第二工程  辛味大根の皮を剥かずそのまま、又は皮を２〜３ｍｍの厚さで剥き、長さ１０〜２０ｃｍ、太さ４〜６ｃｍにカットする。
第三工程  次亜塩素酸ソーダ水溶液１５０ｐｐｍに１０分間浸し、殺菌消毒をする。
第四工程  残留塩素を除去するため水洗いをする。
第五工程  コミットローラ又はマイクロカット機ですりおろす。
第六工程  すりおろされた大根おろしに即ビタミンＥ０．１量％の乳化剤を添加撹拌する。
第七工程  一定量を包装し、冷凍し最終製品とする。
【０００６】
【発明の効果】
本発明により、収穫された辛味大根及び辛味成分を有する大根類を、新鮮なうちに工場で一環生産できるので、大量生産が出来、しかも冷凍保存することより長期間（一年以上）辛味成分を失わず、変色変質しない品質の安定した大根おろしの提供が可能となった。
(57)【要約】【目的】蒸れやすい指先部分にはより大きな通気性を持たせると共に、踵部には歩行に快適なクッション性を持たせた中敷きを提供する。【構成】この中敷きは、少なくとも３層を有し、最上層（１１）は表面材からなり、中間層（１２）は緩衝材からなり、最下層（１３）は複数の通気孔（１４）を有する軟質合成樹脂からなる。前記最下層（１３）の前記通気孔（１４）は、指側（１４ａ）が踵側（１４ｂ，１４ｃ）よりも大きい。前記中間層の緩衝材はウレタンフォームであり、前記最下層の軟質合成樹脂はＥＶＡ樹脂であるのが好ましい前記最下層に設けられた通気孔は、例えば、指側の通気孔が直径５〜１２ｍｍであるのに対して、踵側の通気孔は直径２〜８ｍｍである。【選択図】  図３
2004350737.tif 000002
【特許請求の範囲】
【請求項１】
少なくとも３層を有し、最上層（１１）は表面材からなり、中間層（１２）は緩衝材からなり、最下層（１３）は複数の通気孔（１４）を有する軟質合成樹脂からなるものであり、しかも、前記最下層（１３）の前記通気孔（１４）は、指側（１４ａ）が踵側（１４ｂ，１４ｃ）よりも大きいことを特徴とする靴の中敷き（１０）。
【請求項２】
前記中間層（１２）の緩衝材がウレタンフォームである請求項１記載の中敷き。
【請求項３】
前記最下層（１３）の軟質合成樹脂がＥＶＡ樹脂である請求項１又は２記載の中敷き。
【請求項４】
前記最下層（１３）に設けられた通気孔（１４）は、指側の通気孔（１４ａ）が直径５〜１２ｍｍであるのに対して、踵側の通気孔（１４ｂ，１４ｃ）は直径２〜８ｍｍである請求項１ないし３のいずれかに記載の中敷き。
【請求項５】
前記最下層は指側が踵側よりも薄く形成されている請求項１ないし４のいずれかに記載の中敷き。
【請求項６】
前記最下層（１３）は、指側の厚みが０．５〜３ｍｍであるのに対して、踵側では、４〜１０ｍｍである請求項５記載の中敷き。
【発明の詳細な説明】
【０００１】
【発明の属する技術分野】
本発明は靴の中敷きに関する。特に、指先部の通気性と踵部のクッション性に優れた靴の中敷きに関する。
【０００２】
【従来の技術】
通気性のある中敷きとしては、例えば下記特許文献１に記載するような技術が知られている。これによれば、表裏を貫通する小孔を多数設けてなる中敷きが提案されている。
【０００３】
【特許文献１】実開平４−６９０１０号公報
【０００４】
【発明が解決しようとする課題】
特許文献１に記載されている中敷きは、全体的にある程度の通気性を有するがクッション性に乏しい。本発明は、全体的に通気性を有するだけでなく、蒸れやすい指先部分にはより大きな通気性を持たせると共に、踵部には歩行に快適なようにクッション性を持たせた中敷きを提供することを目的とする。
【０００５】
【課題を解決するための手段】
本発明の中敷きは、少なくとも３層を有し、最上層は表面材からなり、中間層は緩衝材からなり、最下層は複数の通気孔を有する軟質合成樹脂からなるものであり、しかも、前記最下層の前記通気孔は、指側が踵側よりも大きいものであることを特徴とする。
【０００６】
【発明の実施の態様】
前記中間層の緩衝材はウレタンフォームであり、前記最下層の軟質合成樹脂はＥＶＡ樹脂であるのが好ましい（請求項２，３）。
【０００７】
前記最下層に設けられた通気孔は、例えば、指側の通気孔が直径５〜１２ｍｍであるのに対して、踵側の通気孔は直径２〜８ｍｍである（請求項４）。
【０００８】
好ましくは、前記最下層は指側が踵側よりも薄く形成されている（請求項５）。例えば、前記最下層は、指側の厚みが０．５〜３ｍｍであるのに対して、踵側では、４〜１０ｍｍである（請求項６）。
【０００９】
なお、各請求項において、「指側」とは中敷きの前部３０〜５０％をいい、「踵側」とは残り７０〜５０％をいうものとする。
【００１０】
【実施例】
以下、添付の図面に基づき、本発明の実施例を説明する。図１は中敷きの平面図、図２は裏面図、図３は断面図である。
【００１１】
図３に示すように、本発明の中敷き１０は、最上層１１と中間層１２と最下層１３を有していて、少なくとも３層構造である。
【００１２】
最上層１１は、ナイロンやポリエステルの織物又は編み物が好ましく、厚み０．５〜２ｍｍ程度である。例えば、小松セーレン株式会社のポリエステル布帛「５０００ＣＧＸ」（商標）を使用することができる。
【００１３】
中間層１２は緩衝材であり、スポンジ状のウレタンフォームが好ましく、厚み約０．５〜３ｍｍ程度である。
【００１４】
最下層１３はＥＶＡ樹脂等の軟質合成樹脂からなる。この最下層１３は指側を踵側よりも薄くする。例えば、指側では厚み０．５〜３ｍｍ程度であるのに対して、踵側では、４〜１０ｍｍ程度である。さらに、指側に踵側よりも大きな通気孔を設けている。例えば、指側の通気孔１４ａは直径５〜１２ｍｍ程度の真円又は楕円であるのに対して、踵側の通気孔１４ｂ，１４ｃは直径２〜８ｍｍ程度の真円又は楕円である。指側の通気孔及び踵側の通気孔は、それぞれ同じ大きさである必要はなく、多少の大小があってもよい。図２に示すように、この実施例では踵側の通気孔に比較的大きな孔１４ｂと比較的小さな孔１４ｃがある。（後記するように、踵側の通気孔１４ｂ，１４ｃはもともと同じ大きさの真円であったものが、金型でプレス成形されたときに変形して大小や楕円が生じたのである。）
【００１５】
本発明の中敷きの製法は次のとおりである。
【００１６】
まず、板状のＥＶＡ樹脂１３の指側に直径５〜１０ｍｍ程度の孔１４ａをあけ、踵側に１〜５ｍｍ程度の孔１４ｂ，１４ｃをあける。孔の数は、中敷きのサイズや孔の大きさにより異なるが、例えば指側で２０〜６０個、踵側で３０〜８０個である。
【００１７】
ついで、機械糊付けにより、最下層１３の平面側に糊付けし、中間層１２と、最上層１１を重ねてプレス接着する。金型に押しつけられて最下層の樹脂は変形し、厚み、通気孔の大きさ、形状に変化が表れる。踵側の通気孔は中央が比較的に大きな真円孔１４ｂであり、周辺が比較的小さな楕円孔１４ｃである。また、図３に示すように、中間層１２が指側の最下層１３の通気孔から下方にはみ出して露出している。
【００１８】
本発明の中敷きは、通常の中敷きと同じように靴の中に入れて使用する。
【００１９】
【発明の効果】
本発明によれば、最下層１３の軟質合成樹脂には単に多数の通気孔１４があけられているだけでなく、指側の通気孔１４ａが踵側の通気孔１４ｂ，１４ｃよりも大きいので、特に指側の通気効果が高い。また、踵側に厚い最下層を設けているので、踵側のクッション性にも優れている。
【図面の簡単な説明】
【図１】本発明の実施例に係る中敷きの平面図である。
【図２】本発明の実施例に係る中敷きの裏面図である。
【図３】本発明の実施例に係る中敷きの断面図である。
【符号の説明】
１１          最上層（表面材）
１２          中間層（緩衝材）
１２ａ      膨れた中間層
１３          最下層（軟質合成樹脂）
１４          通気孔
１４ａ，１４ｂ，１４ｃ    大きさの異なる通気孔
【図１】
2004350737.tif 000003
【図２】
2004350737.tif 000004
【図３】
2004350737.tif 000005